(57)【要約】【課題】傾斜姿勢をなす浴室用床材の下端部における水滴や水膜の残存を防止してユーザに排水状況を効率的に理解させることができ、且つ、コストを安く抑えることをできるように排水状況展示モデルを提供すること。【解決手段】略方形の平面形状をなす浴室用床材１１と、この浴室用床材１１を下面側から支持して当該浴室用床材１１を傾斜姿勢に保つ一対の支持部材１２，１３と、浴室用床材１１の下端側に取り付けられた導水部材１４と、浴室用床材１１及び支持部材１２，１３を内部に受容する水受け部材１６とを備えて排水状況展示モデル１０が構成されている。浴室用床材１１に水を散布すると、浴室用床材１１の下端側に流れた水が導水部材１４に吸水又は誘引され、下端側における水滴又は水膜の残存が防止される。【選択図】          図１
2004205657.tif 000002
【特許請求の範囲】
【請求項１】
傾斜姿勢に保たれた浴室用床材に散布された水の排水状況を視認することのできるモデルであって、
前記浴室用床材の下端側に導水部材を取り付けたことを特徴とする浴室用床材の排水状況展示モデル。
【請求項２】
前記導水部材は、吸水率が１００％以上２０００％以下に設定されていることを特徴とする請求項１記載の浴室用床材の排水状況展示モデル。
【請求項３】
前記浴室用床材は、その分数勾配を１／５０〜１／３０に保つ支持部材に支持されていることを特徴とする請求項１又は２記載の浴室用床材の排水状況展示モデル。
【請求項４】
前記導水部材には、浴室用床材の下端側に係合可能な係合溝部が設けられていることを特徴とする請求項１，２又は３記載の浴室用床材の排水状況展示モデル。
【請求項５】
前記浴室用床材は、前記水を貯留可能な水受け部材内に配置されていることを特徴とする請求項１ないし４の何れかに記載の浴室用床材の排水状況展示モデル。
【発明の詳細な説明】
【０００１】
【発明の属する技術分野】
本発明は、浴室用床材の排水状況展示モデルに係り、更に詳しくは、浴室用床材の表面に散水したときに、当該表面上の水流や水滴の動き等の排水状況を視認することができ、浴室用床材の性能や品質を実感させることのできる排水状況展示モデルに関する。
【０００２】
【従来の技術】
近時の浴室用の床材にあっては、床面上に水滴等が極力残らないように排水して速乾性を向上させたものが出現し始め、ユーザや消費者の間では、入浴した夜の翌朝でも既に床面が乾いている等といった理由から注目を集めている。従って、浴室のメーカ等にとっては、ショールーム等において浴室用床材の実際の排水状況をいかにユーザ等に理解させてアピールするかが重要となっており、スペースや運搬上の問題から実際の住宅等に用いられるシステムバスユニットの代わりに、図３に示されるような床材を部分的に切り取ったサンプル板５０を用い、傾けながら表面に水を散布してユーザ等に見せたりすることが行われている。
【０００３】
【発明が解決しようとする課題】
しかしながら、サンプル板５０に水を散布する手法では、サンプル板５０の下部領域に表面張力により水滴又は水膜５１（図３参照）が残る傾向が強く、これにより、実際の床材の下流側若しくは外周側でも水滴が残存するとの誤解を招くなど、床材の速乾性をユーザ等に十分に理解させることが難しいという不都合がある。
そこで、浴室用床材における排水口に連なる領域を切り取ってサンプル板を形成すれば、前述した問題点を解消できるが、浴室用床材は樹脂を用いた一体成形品である場合が多く、この場合には一つの浴室用床材から一枚のサンプル板しか確保することができずに歩留まりが低下してコスト的な負担を強いられるという別異の不都合を招来する。
【０００４】
【発明の目的】
本発明は、このような不都合に着目して案出されたものであり、その目的は、傾斜した床材の下端部における水滴又は水膜の残存を防止してユーザ等に排水状況を効率的に理解させることができ、且つ、コストを安く抑えることのできる浴室用床材の排水状況展示モデルを提供することにある。
【０００５】
【課題を解決するための手段】
前記目的を達成するため、本発明は、傾斜姿勢に保たれた浴室用床材に散布された水の排水状況を視認することのできるモデルであって、
前記浴室用床材の下端側に導水部材を取り付ける、という構成を採っている。このような構成によれば、従来のように浴室用床材をサンプル板とした場合であっても、導水部材が散布された水を吸水又は誘引するので、浴室用床材の下端側に水滴又は水膜が集中的に残存することが無くなる。これにより、床面上の排水状況を誤解されることなく容易に実感させることができ、排水状況のプレゼンテーション等を効率的に行うことが可能となる。
しかも、サンプル板に排水口を設ける必要がないので、床材が一体成形品である場合であっても、一つの浴室用床材から複数枚のサンプル板を得ることができ、歩留まりを高めてコスト的な負担を軽減することが可能となる。
ここで、導水部材としては、スポンジ、吸水性ポリマー、不織布、高吸水紙等を例示できる。
【０００６】
【発明の実施の形態】
本発明において、前記導水部材は、吸水率が１００％以上２０００％以下に設定される、という構成を採ることが好ましい。導水部材の吸水率が１００％未満であると、吸水効果が低くなり過ぎて実用的でない。一方、導水部材の吸水率が２０００％を越えると、床面上の水を強く誘引して水流の速度を高めてしまい、本来の排水性能を発揮させることが困難となる。
【０００７】
また、前記浴室用床材は、その分数勾配を１／５０〜１／３０に保つ支持部材に支持される、という構成も採用することができる。このような構成では、実際のシステムバスルーム等に利用されている床材の水勾配と同様の勾配に設定することができ、性能の客観的な評価が可能となる。
【０００８】
更に、前記導水部材には、浴室用床材の下端側に係合可能な係合溝部が設けられる、という構成を採ることができる。このような構成により、浴室用床材に導水部材を容易且つ迅速に着脱することができ、導水部材の交換等を難なく行うことが可能となる。
【０００９】
また、前記浴室用床材は、前記水を貯留可能な水受け部材内に配置される、という構成を採るとよい。これによれば、プレゼンテーション等を行う場合、浴室用床材から流れ落ちた水により、テーブルや机等が濡れることを防止することができる。
【００１０】
なお、本明細書において、「水」とは、「湯水」をも含む概念として用いる。
【００１１】
また、「吸水率」は、次の（１）式で求められる。
吸水率（％）＝（導水部材の吸水後の重量／導水部材の初期重量）×１００・・・・（１）
ここで、導水部材は、吸水率を測定するため、縦断面形状が幅１ｃｍ、高さ５ｃｍのものを用いた。導水部材の吸水は、十分な水が貯えられた水槽内に、当該導水部材の下端から高さ１ｃｍの領域を５時間浸漬させて行った。
【００１２】
【実施例】
以下、本発明の実施例を図面を参照しながら説明する。
【００１３】
図１には、本実施例に係る浴室用床材の排水状況展示モデルの概略斜視図が示されている。この図において、同モデル１０は、略方形の平面形状をなす浴室用床材１１と、この浴室用床材１１を下面側から支持する一対の支持部材１２，１３と、浴室用床材１１の図１中左端側に取り付けられた導水部材１４と、浴室用床材１１及び支持部材１２，１３を内部に受容する水受け部材１６とを備えて構成されている。また、浴室用床材１１の図１中右端側上方位置には、床材１１上に水を散布するための散水手段１７が配置され、この散水手段１７は、特に限定されるものでないが、じょうろやシャワー等が用いられている。
【００１４】
前記浴室用床材１１は、本実施例では、ＦＲＰ等の樹脂により一体成形され、且つ、表面に親水化処理等が施された床材を部分的に切り取ったサンプル板により構成されている。
【００１５】
前記各支持部材１２，１３は、相互に高さが異なるブロック状又は角柱状に設けられている。各支持部材１２，１３は、浴室用床材１１を図１中左下がりに傾斜する姿勢に保持するとともに、浴室用床材１１の分数勾配を１／３０〜１／５０に保つ高さ及び相互離間幅に設定されている。
【００１６】
前記導水部材１４は、本実施例ではスポンジ等を用いて構成され、吸水率が１００％以上２０００％以下に設定されている。導水部材１４は、浴室用床材１１の下端に沿って延びるとともに、縦断面形状が略円形に形成されている。また、導水部材１４は、その延出方向（図１中紙面直交方向）に延びる横向き凹状の係合溝部１４Ａを備えており、この係合溝部１４Ａが浴室用床材１１の下端に着脱自在に係合するようになっている。
【００１７】
前記水受け部材１６は、底壁１８と、当該底壁１８の外周側から立設する周壁１９とを備えた上部開放型の容器状に形成されている。ここで、周壁１９における浴室用床材１１の上端（図１中右端）近傍位置には、上下方向に沿って目盛り２０が付されており、これにより、浴室用床材１１の勾配の調整作業を容易に行えるようになっている。なお、透光性を有する部材により水受け部材１６を構成することにより、水受け部材１６の外部から目盛り２０と浴室用部材１１とを視認可能となり、これらの調整作業の容易化を図ることができる。
【００１８】
以上の構成において、図１に示されるように、浴室用床材１１の上部側（同図中右側）領域に、散水手段１７から水を散布することにより、浴室用床材１１上面の排水状況を視認させることができる。この際、浴室用床材１１の下端側に流れた水は、導水部材１４により吸水又は誘引される一方、浴室用床材１１から流れ落ちた水は、水受け部材１６内に貯留される。
【００１９】
従って、このような実施例によれば、導水部材１４により下端領域における水滴又は水膜の発生を防止することができる。これにより、床材１１の排水性及び速乾性を、ユーザに効率的に理解させることが容易となる。
【００２０】
また、図２には、実施例及び比較例の導水部材１４の吸水効果を確認するための実験結果が示されている。なお、本実験は、平面サイズが３００ｍｍ×２００ｍｍ、分数勾配１／４０の床材１１の上部領域に、１００ｍｌの水を散布し、目視にて吸水効果を確認したものである。
【００２１】
本発明を実施するための最良の構成、方法などは、以上の記載で開示されているが、本発明は、これに限定されるものではない。
すなわち、本発明は、主に特定の実施例に関して特に図示し、且つ、説明されているが、本発明の技術的思想及び目的の範囲から逸脱することなく、以上に述べた実施の形態に対し、形状、材料、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２２】
例えば、前記導水部材１４は、種々の設計変更が可能であり、導水部材１４をシート状に形成して浴室用床材１１の下端側に載せるように取り付けたり、係合溝部１４Ａを断面視線状となるスリットにより形成してもよい。
【００２３】
また、前記散水手段１７は、コップや如雨露等により水を散布したり、ポンプ等を介して水受け部材１６内に貯留された水を散布する構成としてもよい。ここで、ポンプを用いた場合、制御手段等を介して間欠的に水を散布することにより、排水前、排水中、排水後の状況を自動的に繰り返し視認することが可能となり、排水状況をより一層理解し易くなる。
【００２４】
更に、前記支持部材１２，１３と水受け部材１６とを接着若しくは一体成形してもよく、これにより、浴室用床材１１を常に一定勾配で簡単に支持させることが可能となる。
【００２５】
更に、前記側壁１９に目盛り２０を設けたが、前記水受け部材１６の底壁１８にも図１中左右方向に沿って目盛りを設けてもよい。これにより、底壁１８の目盛りに対応して各支持部材１２，１３を配置することにより、各支持部材１２，１３の離間幅を調整して浴室用床材１１の勾配の調整を容易に行えるようになる。
【００２６】
【発明の効果】
以上説明したように、本発明は、傾斜姿勢に保たれた浴室用床材の下端側に導水部材を取り付けたから、従来のように浴室用床材をサンプル板としても、浴室用床材の下端側に水滴や水膜が残ることはなく、実際の床面の排水状況を無理なく実感させることが可能となる。しかも、サンプル板に排水口を設けなくてもよいため、歩留まりを高めてコストの低廉化を達成することできる。
【００２７】
また、導水部材の吸水率を１００％以上２０００％以下に設定した場合には、導水部材の吸水効果を良好に発揮させることができる。
【００２８】
更に、浴室用床材の分数勾配を１／５０〜１／３０に保つ支持部材に支持される構成とした場合には、実際のシステムバスルーム等に利用されている床材の水勾配と同様の勾配に設定することができ、排水状況を客観的に評価することが可能となる。
【００２９】
また、導水部材には、浴室用床材の下端側に係合可能な係合溝部が設けられているから、導水部材の着脱、交換等を容易に行うことが可能となる。
【００３０】
更に、水を貯留可能な水受け部材内に浴室用床材を配置した場合には、浴室用床材から流れ落ちた水により、テーブルや机等が濡れることを防止することができる。
【図面の簡単な説明】
【図１】実施例に係る浴室用床材の排水状況展示モデルの概略縦断面図。
【図２】導水部材の吸水効果を示す図表。
【図３】従来例に係る浴室用床材の排水状況を説明するための断面図。
【符号の説明】
１０・・・排水状況展示モデル、１１・・・浴室用床材、１２，１３・・・支持部材、１４・・・導水部材、１４Ａ・・・係合溝部、１６・・・水受け部材
【図１】
2004205657.tif 000003
【図２】
2004205657.tif 000004
【図３】
2004205657.tif 000005